(57)【要約】【課題】うるう秒の較正を行う時刻較正制御装置において、各スタジオ機器の内部時計に対し時刻較正を行う較正周期内で、うるう秒の挿入／削除が発生した場合に、うるう秒の挿入／削除に合わせて各スタジオ機器の内部時計の構成を迅速に行い得る時刻較正制御装置及びその方法を提供する。【解決手段】時刻較正制御装置１において、各スタジオ機器の内部時計で計時される時刻情報と同一の時刻情報を計時する内蔵タイマ３を備えるようにし、局内時計ＢＴにてうるう秒の挿入／削除がなされた場合に、局内時計ＢＴの時刻情報と内蔵タイマ３の時刻情報を比較器４にて比較し、カウンタ５にて両者のずれをカウントした結果、当該カウンタ値が所定回数に達すると、局内時計ＢＴにおいてうるう秒の挿入／削除がなされたと判断し、較正部６にて時刻較正制御信号を作成して、通常の較正周期内でスタジオ機器Ｔ１〜Ｔｎの内部時計Ｃ１〜Ｃｎの時刻較正を行うようにしている。【選択図】      図１
2008070335.tif 000002
【特許請求の範囲】
【請求項１】
それぞれ第１のタイマにより計時される一定秒パルス周期の時刻情報に基づいて信号処理を実行する複数の信号処理部に対し、前記時刻情報の秒パルス周期に比して長い周期となる較正周期で外部から受信した基準時刻情報に合わせて前記第１のタイマで計時される時刻情報を較正する時刻較正制御装置において、
前記第１のタイマで計時される時刻情報と同一の時刻情報を計時する第２のタイマと、
この第２のタイマで計時される時刻情報と前記基準時刻情報とを比較することで、パルス間のずれを検出する検出手段と、
この検出手段により検出されるパルス間のずれの回数をカウントするカウント手段と、
前記較正周期内で、前記カウント手段により得られるカウンタ値が所定値に達した場合に、前記基準時刻情報に合わせて前記複数の信号処理部に対し前記第１のタイマで計時される時刻情報の較正を実行する制御手段と
を具備したことを特徴とする時刻較正制御装置。
【請求項２】
前記第２のタイマは、
前記検出手段によりパルス間のずれが検出された場合、当該ずれを補正する補正手段を具備することを特徴とする請求項１に記載の時刻較正制御装置。
【請求項３】
それぞれ第１のタイマにより計時される一定秒パルス周期の時刻情報に基づいて信号処理を実行する複数の信号処理部に対し、前記時刻情報の秒パルス周期に比して長い周期となる較正周期で外部から受信した基準時刻情報に合わせて前記第１のタイマで計時される時刻情報を較正する時刻較正方法において、
前記第１のタイマで計時される時刻情報と同一の時刻情報を計時し、
前記計時された時刻情報と前記基準時刻情報とを比較することで、パルス間のずれを検出し、
前記検出により検出されるパルス間のずれの回数をカウントし、
前記較正周期内で、前記カウントの結果得られるカウンタ値が所定値に達した場合に、前記基準時刻情報に合わせて前記複数の信号処理部に対し前記第１のタイマで計時される時刻情報の較正を実行することを特徴とする時刻較正方法。
【請求項４】
前記第１のタイマで計時される時刻情報と同一の時刻情報の計時は、
前記検出でパルス間のずれが検出された場合、当該ずれを補正することを特徴とする請求項３に記載の時刻較正方法。
【発明の詳細な説明】
【技術分野】
【０００１】
本発明は、例えば放送局の番組送出システムに適用され、各スタジオ機器に対して外部から送られる基準時刻の変動に対応した制御を行う時刻較正制御装置及びその方法に関する。
【背景技術】
【０００２】
例えば放送局の番組送出システムにあっては、処理基準となる局内時計からの基準時刻の変動に対応して各スタジオ機器に対する時刻較正を行う時刻較正制御装置を適用している。各スタジオ機器への時刻較正は、日本の標準時刻を配信しているＪＪＹにより較正されている局内時計からの時刻情報（秒パルスと、ＢＣＤによる時刻データ）を時刻較正制御装置が受け、この時刻較正制御装置が、当該時刻情報やそれに基づく秒パルスを各スタジオ機器へ伝送することにより行われている。
【０００３】
しかし、番組送出システムにおけるスタジオ機器の中には、高精度の内部時計を持っているものがあり、時刻較正周期を長くすることにより、時刻較正制御装置や番組送出システム全体の負荷を軽減できるため、時刻較正が毎秒ではなく一定周期（例えば１０分）毎にのみ行われているものもある。このような装置では、時刻較正がうるう秒のタイミングに一致するとは限らない。
【０００４】
なお、特許文献１に、うるう秒を補正して標準時と合わせるようにする方法が示されている。
【特許文献１】特開２０００−７５０７１公報
【発明の開示】
【発明が解決しようとする課題】
【０００５】
以上のように、時刻較正が一定の周期毎にのみ行われている時刻較正制御装置では、うるう秒の挿入又は削除があった場合、次の時刻較正が行われるまで、局内時計と各スタジオ機器の内部時計との間で時刻のずれが生じたままとなり、特にリアルタイムな処理が要求されるスタジオ機器に対し多大な影響を与えることとなる。なお、特許文献１では、うるう秒の較正は行っているものの、それに基づいて、他の機器が備える内部時計の較正までは行っていない。
【０００６】
そこで、本発明の目的は、各スタジオ機器の内部時計に対し時刻較正を行う較正周期内で、うるう秒の挿入／削除が発生した場合に、うるう秒の挿入／削除に合わせて各スタジオ機器の内部時計の較正を迅速に行い得る時刻較正制御装置及びその方法を提供することである。
【課題を解決するための手段】
【０００７】
上記目的を達成するため、本発明は、それぞれ第１のタイマにより計時される一定秒パルス周期の時刻情報に基づいて信号処理を実行する複数の信号処理部に対し、前記時刻情報の秒パルス周期に比して長い周期となる較正周期で外部から受信した基準時刻情報に合わせて前記第１のタイマで計時される時刻情報を較正する時刻較正制御装置において、前記第１のタイマで計時される時刻情報と同一の時刻情報を計時する第２のタイマと、この第２のタイマで計時される時刻情報と前記基準時刻情報とを比較することで、パルス間のずれを検出する検出手段と、この検出手段により検出されるパルス間のずれの回数をカウントするカウント手段と、前記較正周期内で、前記カウント手段により得られるカウンタ値が所定値に達した場合に、前記基準時刻情報に合わせて前記複数の信号処理部に対し前記第１のタイマで計時される時刻情報の較正を実行する制御手段とを具備するようにしている。
【０００８】
このようにして、第２のタイマの時刻情報と外部から受信される基準時刻情報とを比較してパルス間のずれを検出し、この検出回数が規定回数以上検出された場合に、上記基準時刻情報に対するうるう秒の挿入／削除がなされた旨を判断し、通常の較正周期内で上記基準時刻情報に合わせて第１のタイマで計時される時刻情報を較正するようにしている。
【発明の効果】
【０００９】
本発明では、第２のタイマの時刻情報と外部から受信される基準時刻情報とを比較することによって、各信号処理器内部の第１のタイマで計時される時刻情報を較正することができるため、時刻較正制御装置による信号処理器の第１のタイマの時刻較正のタイミングとは別に、うるう秒の迅速かつ正確な較正が可能となる。
【発明を実施するための最良の形態】
【００１０】
以下、図面を参照しながら本発明の実施の形態について詳細に説明する。
【００１１】
図１は、本発明の一実施形態に係る、番組送出システムの概略構成を示すブロック図である。図１における番組送出システム１０は、局内時計ＢＴと、時刻較正制御装置１と、各スタジオ機器Ｔ１〜Ｔｎとから構成されている。
【００１２】
局内時計ＢＴの時刻情報は、ＪＪＹから配信される時刻情報により較正されている。そして、ＪＪＹからうるう秒を処理する旨の配信があるときには、通常、局内時計ＢＴは、うるう秒の時刻に１秒を挿入又は削除するのではなく、挿入の場合には、うるう秒が挿入される前の１００秒間、１秒の間隔を０．０１秒長くして調整し、削除の場合には、うるう秒が削除される前の１００秒間、１秒の間隔を０．０１秒短くして調整し、うるう秒を処理している。
【００１３】
各スタジオ機器Ｔ１〜Ｔｎは、内部時計Ｃ１〜Ｃｎを有しており、当該内部時計Ｃ１〜Ｃｎで計時される一定秒パルス周期の時刻情報に基づいて所定の番組情報信号の信号処理を実行する。
【００１４】
時刻較正制御装置１は、受信部２と、各スタジオ機器Ｔ１〜Ｔｎの内部時計Ｃ１〜Ｃｎと同一の時刻情報を計時する内蔵タイマ３と、比較器４と、カウンタ５と、較正部６と、送信部７とを備えている。すなわち、時刻較正制御装置１は、局内時計ＢＴからの時刻情報を受信部２で受信し、当該局内時計ＢＴの時刻情報と内蔵タイマ３で計時される時刻情報とを比較器４で比較する。そして、この比較結果から得られるパルス間のずれをカウンタ５でカウントし、このカウンタ５のカウンタ値が所定回数に達した場合に、較正部６において、スタジオ機器Ｔ１〜Ｔｎの内部時計Ｃ１〜Ｃｎの時刻情報を較正する時刻較正制御信号を作成する。この時刻較正制御信号は、送信部７からスタジオ機器Ｔ１〜Ｔｎへ向けて送信される。
【００１５】
また、内蔵タイマ３は一定周期が経過すると、較正部６へ信号を伝送するようになっており、較正部６は、この信号を受けてスタジオ機器Ｔ１〜Ｔｎの内部時計Ｃ１〜Ｃｎの時刻情報を較正する時刻較正制御信号を作成する。
【００１６】
さらに、内蔵タイマ３は、補正部３１を有している。補正部３１は、比較器４における局内時計ＢＴの時刻情報と内蔵タイマ３の時刻情報との比較の結果、両秒パルス間にずれが検出されると、両パルスが一致するよう、内蔵タイマ３の秒パルスを補正する。
【００１７】
ここで、局内時計ＢＴにおいてうるう秒の挿入／削除がなされ、比較器４による局内時計ＢＴの時刻情報と内蔵タイマ３の時刻情報との比較の結果、両パルス間にずれが検出され、補正部３１により、内蔵タイマ３の時刻情報が補正されても、０．０１秒のずれが１００回連続して続くことになる。そこで、局内時計ＢＴの秒パルスと内蔵タイマ３の秒パルスとの間のずれをカウンタ５でカウントし、そのカウンタ値が所定回数に達した場合、時刻較正制御装置１は、局内時計ＢＴにおいてうるう秒が処理されたと判断する。ずれが１回、もしくは連続で一定回数生じない場合は、当該ずれの発生原因がゆらぎや誤差であると考えられるため、うるう秒の処理として扱わない。
【００１８】
時刻較正制御装置１が、局内時計ＢＴにおいてうるう秒の挿入／削除がなされたと判断した場合には、較正部６にて内部時計Ｃ１〜Ｃｎの時刻情報を局内時計ＢＴの時刻情報に合わせるための時刻較正制御信号を作成し、送信部７により、スタジオ機器Ｔ１〜Ｔｎへ伝送する。
【００１９】
次に、上記構成における、時刻較正制御装置１の処理動作を説明する。
【００２０】
図２は、うるう秒挿入／削除時における時刻較正制御装置１の内部時計Ｃ１〜Ｃｎの時刻情報の較正処理動作を示すフローチャートである。
【００２１】
局内時計ＢＴから時刻較正制御装置１へ時刻情報が送信され、時刻較正制御装置１内では内蔵タイマ３が時刻情報を計時している。同様に、スタジオ機器Ｔ１〜Ｔｎの内部時計Ｃ１〜Ｃｎも時刻情報を計時している。
【００２２】
時刻較正制御装置１は、受信部２により局内時計ＢＴからの時刻情報を受信する（ステップＳＴ２ａ）。
【００２３】
時刻情報を受信すると、受信部２は、この時刻情報を比較器４へ出力する。同時に、内蔵タイマ３は、当該内蔵タイマ３の時刻情報を比較器４へ出力する。
【００２４】
続いて、時刻較正制御装置１は、比較器４において、局内時計ＢＴの時刻情報と内蔵タイマ３の時刻情報とを比較し（ステップＳＴ２ｂ）、局内時計ＢＴの秒パルスと内蔵タイマ３の秒パルスとの間にずれがあるか否かの判断を行う（ステップＳＴ２ｃ）。
【００２５】
両パルス間にずれがある場合（ステップＳＴ２ｃのＹｅｓ）、カウンタ５により、カウンタ値をカウントアップする（ステップＳＴ２ｄ）。カウントアップした後、内蔵タイマ３の秒パルスと局内時計ＢＴの秒パルスとが一致するよう、補正部３１に内蔵タイマ３の秒パルスを補正させる（ステップＳＴ２ｅ）。
【００２６】
両パルス間にずれがない場合（ステップＳＴ２ｃのＮｏ）、カウンタ５のカウンタ値をリセットし（ステップＳＴ２ｈ）、ステップＳＴ２ａ処理に移行する。
【００２７】
ステップＳＴ２ｅの後、時刻較正制御装置１は、カウンタ５のカウンタ値が所定回数以上か否かの判断を行い（ステップＳＴ２ｆ）、カウンタ値が所定回数以上である場合（ステップＳＴ２ｆのＹｅｓ）、その信号を較正部６へ伝達し、較正部６において、時刻較正制御信号を作成する。
【００２８】
カウンタ５のカウンタ値が所定回数以下である場合（ステップＳＴ２ｆのＮｏ）、ステップＳＴ２ａ処理に移行する。
【００２９】
以上のように、上記実施形態では、時刻較正制御装置１において、各スタジオ機器Ｔ１〜Ｔｎの内部時計Ｃ１〜Ｃｎで計時される時刻情報と同一の時刻情報を計時する内蔵タイマ３を備えるようにし、局内時計ＢＴにてうるう秒の挿入／削除がなされるときには、局内時計ＢＴの時刻情報と、内蔵タイマ３の時刻情報とを比較器４にて比較し、局内時計ＢＴの秒パルスと内蔵タイマ３の秒パルスとの間のずれをカウンタ５にてカウントし、当該カウンタ値が所定回数以上となる場合、局内時計ＢＴにおいてうるう秒の挿入／削除がなされたと判断し、較正部６にて時刻較正制御信号を作成して、この時刻較正制御信号に従って通常の較正周期内で各スタジオ機器Ｔ１〜Ｔｎの内部時計Ｃ１〜Ｃｎの時刻較正を行うようにしている。
【００３０】
したがって、スタジオ機器Ｔ１〜Ｔｎの内部時計Ｃ１〜Ｃｎの時刻較正を、うるう秒の挿入／削除に合わせて迅速かつ正確に行うことができる。
【００３１】
なお、この発明は上記実施形態に限定されるものではない。例えば上記各実施形態では、局内時計の秒パルスと内蔵タイマの秒パルスとのずれから局内時計におけるうるう秒の処理の有無を判断する例について説明したが、これ以外の方法によっても同様に実施可能である。
【００３２】
その他、時刻較正制御装置の構成等についても、この発明の要旨を逸脱しない範囲で種々変形して実施できる。
【００３３】
さらに、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００３４】
【図１】本発明の一実施形態に係る、番組送出システムの概略構成を示すブロック図。
【図２】本発明の一実施形態において、うるう秒挿入／削除時における時刻較正制御装置の各スタジオ機器に対する時刻較正処理動作を示すフローチャート。
【符号の説明】
【００３５】
１０…番組送出システム、１…時刻較正制御装置、２…受信部、３…内蔵タイマ、４…比較器、５…カウンタ、６…較正部、７…送信部、３１…補正部、ＢＴ…局内時計、Ｔ１〜Ｔｎ…スタジオ機器、Ｃ１〜Ｃｎ…内部時計
【図１】
2008070335.tif 000003
【図２】
2008070335.tif 000004